(57)【特許請求の範囲】
【請求項１】
上面２ａ側の略中央に位置して熱源４を備えた受け皿３と、上記熱源４をその周壁部２ｂで覆うと共にさらに上面２ａ側の載置穴２ｃを上方に向け、また下面２ｄ側の開口部２ｆを塞ぐようにして受け皿３の上面２ａに載置した逆キャップ状の本体２と、上記本体２の上面の載置穴２ｃに載置した芳香皿５とからなる香炉１であって、上記本体２にはさらに同本体２の受け皿３への載置時、上記熱源４の近傍周囲を囲む遮蔽部２ｇが一体的に形成されていることを特徴とする香炉。
【請求項２】
上記本体２は下部に位置して空気を採り入れるための空気穴２ｈが形成されており、また、遮蔽部２ｇは載置穴２ｃに連通して設けられており、さらに芳香皿５の載置時、同皿５と本体の上面２ａ間で間隙ｇを形成するための間隙形成部材６が、本体２或いは芳香皿５の両方乃至は一方さらには両者間に位置して設けられていることを特徴とする請求項１に記載の香炉。
【発明の詳細な説明】
【０００１】
【発明の属する技術分野】
本願発明は、香木や精油、茶葉などの芳香用材料を熱源、例えば電球の光（熱）ロウソク、ランプ等によって加熱することで芳香を発するようにした香炉の改良に関するものである。
【０００２】
【従来の技術】
従来の香炉１００は、図３に示すようにセラミックス或いは磁器等の不燃性部材から作られた逆キャップ形状の本体１０１と、該本体１０１の上面１０１ａの載置穴１０１ｂに載置したセラミックス或いは金属等から作られた芳香皿１０２と、上記本体１０１をその上面１０１ａに載置するようにした本体と同様にセラミックス或いは磁器から作られた受け皿１０３と、受け皿１０３の略中央に位置して設けられた電球からなる熱源１０４とから構成され、そして上記本体１０１が上記熱源１０４の外周を覆うようにして受け皿１０３上に載置されている。そして電源コード１０５を介して熱源１０４に電力が供給されると、芳香皿１０２に載せられた芳香用材料１０６が芳香皿１０２を介して熱源１０４により下方から加熱され、芳香用材料１０６が蒸発あるいは焼かれて芳香が発するようになっている。
【０００３】
【発明が解決しようとする課題】
しかしながら、上記従来の香炉は、熱源からの拡散放熱により芳香皿を加熱するだけでなく特に熱源の近くの本体の周壁部も同様に加熱することになるため、芳香皿内の芳香用材料が効率的に加熱されず芳香の即効性に劣る外、長時間使用により加熱されると本体の周壁部も芳香皿と同様に高温になるため使用中は勿論、停止直後にこの部位(近傍の周壁部)に不用意に触ったりした場合は危険であった。
【０００４】
【課題を解決するための手段】
本願発明は、上記芳香の即効性の問題、本体の周壁部の過度の加熱の問題等を解決するためのものであり、
第１の発明は、上面２ａ側の略中央に位置して熱源４を備えた受け皿３と、上記熱源４をその周壁部２ｂで覆うと共にさらに上面２ａ側の載置穴２ｃを上方に向け、また下面２ｄ側の開口部２ｆを塞ぐようにして受け皿３の上面２ａに載置した逆キャップ状の本体２と、上記本体２の上面の載置穴２ｃに載置した芳香皿５とからなる香炉１であって、上記本体２にはさらに同本体２の受け皿３への載置時、上記熱源４の近傍周囲を囲む遮蔽部２ｇが一体形成されていることを特徴とする香炉を提案するものである。
【０００５】
第２の発明は、上記本体は下部に位置して空気を採り入れるための空気穴２ｈが形成されており、また、遮蔽部２ｇは載置穴２ｃに連通して設けられており、さらに芳香皿５の載置時、同皿５と本体の上面２ａ間で間隙ｇを形成するための間隙形成部材６が、本体２或いは芳香皿５の両方乃至は一方さらには両者間に位置して設けられていることを特徴とする請求項１に記載の香炉を提案するものである。
【０００６】
【発明の実施の形態】
以下、本願発明の実施例について図１至図２を用いて具体的に説明する。
１は本願発明の実施例の香炉であり、熱源４の外周を覆うようにして受け皿３上に載置した本体２と、該本体２の上面２ａに設けられた載置穴２ｃに載置した芳香皿５と、該芳香皿５を加熱する電球からなる熱源４と、該熱源４が取り付けられた受け皿３と、熱源４に電力を供給するための電源コード１０及びプラグ９と、熱源４への電力供給を制御する制御部８とから構成されている。
【０００７】
上記本体２は、セラミックス或いは磁器、または金属不燃性の合成樹脂等の耐熱性材料からなり、全体が逆カップ状に形成されている。また、下面２ｄには開口部２ｆを設け、また上面２ａには載置穴２ｃを設け、さらに周壁部２ｂには下部に位置して電球からの光を本体外へ散乱させると同時に空気の採り入れを目的とする小穴からなる複数の空気穴２ｈが設けられている。また、上記上面２ａの中央には載置穴２ｃと連通し、下方に向かって延長形成された筒状の遮蔽部２ｇが本体と一体に設けられており、形状は後述の熱源４の周囲つまり、電球の発熱部４ａの外周を接近した状態で囲むように形成されている。なお、この遮蔽部２ｇは本体２と同時成形したり或いは別体で作り後から本体と接着して一体成形しても良く、特に別体で作る場合は耐熱性や熱遮断性に優れた材質のものを用いる事が可能である。
【０００８】
５は本体２の上面２ａの載置穴２ｃに載置した本体と同様な材質で作られた芳香皿であり、本体２を受け皿３の所定位置に載せた状態（載置状態）で、その下部が熱源４の若干上方に位置するようになっている。なお、芳香皿５は掛止部５ａと載部５ｂとからなり、載部５ｂを載置穴２ｃに没入した状態でその鍔状の掛止部５ａを本体の載置穴２ｃ近傍の上面２ａに掛止めしで取りつけられている。なお、この際、載置穴２ｃは芳香皿５により完全に塞がれるのを防止するため、本体２の上面２ａと芳香皿５との両者の間には空気流通用の間隙ｇが形成されるもので、図２にあるように芳香皿５の掛止部５ａに位置して適宜間隔（例えば９０度から１２０度の間隔）で突起６を形成し、これにより芳香皿５を浮かして本体２の上面２ａとの間で間隙ｇを形成する外、芳香皿５側でなく本体２の上面に位置して適宜間隔に突起６を形成して芳香皿５を本体の上面２ａから若干浮かすようにしたり、さらには適度に空間部を備えたスペサ−を本体の上面と芳香皿５間に介在させたりして空気流通用の間隙ｇを確保するようにしている。なお、本実施例ではこれら空気流通用の間隙を形成するための突起６やスペサーを称して間隙形成部材６と呼ぶ。なお、芳香皿５は図２あるように載部５ｂを深くしたり、浅くしたりしたものが別途用意されており、芳香用材料７の種類によって芳香皿５を適宜取替えることで熱源から芳香皿までの距離を変更して熱源からの熱量を調節し、芳香量を適宜調整するようにしている。
【０００９】
３は上記本体２と同様にセラミックスあるいは磁器、金属または不燃性の合成樹脂等の耐熱性材料により形成された受け皿であり、該皿３の上面２ａの中央には熱源４としての電球が取り付けられている。なお、熱源４を覆うようにして被せる本体２は、該熱源４がその上面の載置穴２ｃの芳香皿５の下方に位置するように受け皿３の上面３ａに載置されるもので、この時、本体２の開口部２ｆが受け皿３の上面３ａにより塞がれる。上記熱源４としてはクリプトン電球、白熱電球、ハロゲン電球等の電球の外、ロウソク、ランプ等も使用可能である。６は熱源４に電力を供給するためのコード、８は熱源４への電力供給を制御するコード６の中間に介設した制御部、９はプラグを示す。
【００１０】
次に、以上の構成からなる香炉１についてその使用方法等について説明する。
まず、本体２上面２ａの芳香皿５に芳香用材料７（例えば香木、茶葉、エッセンシャルオイル等）を載せ、香炉１のコード１０のプラグ９を電源に接続する。その後、芳香皿５に載せた芳香用材料７の種類に応じて、制御部８を調節し、熱源４である電球の光（熱）の強さを調節する。例えば、上記の香木等は比較的高い温度で芳香を発するため、制御部８により調節して、電球の光（熱）を強くし、発生する熱量を増やすことで、温度が高く保たれ、芳香用材料７（香木等）が適温に加熱されるようになっている。そして、電球の光（熱）により芳香皿５に載せた芳香用材料７が適温に加熱され、やがて芳香用材料７から芳香が発するようになる。
【００１１】
なお、上記加熱の際、熱源４の周囲に接近して配置された筒状の遮蔽部２ｇにより、同熱源からの拡散放熱が抑制される。そして拡散が抑制された熱は芳香皿５の載部５ｂの下面５ｃに対し集中し、同部位を急速加熱して、直ぐに芳香材料から芳香が発生するようになっている。また、上記遮蔽部２ｇにより、同遮蔽部２ｇと熱源４間さらには遮蔽部２ｇと周壁部２ｂ間に空気層ａが介在し、該空気層の断熱作用により熱源からの放熱（伝熱）が極力抑制され、それにより熱源４の近傍の周壁部２ｂの高温化が避けられるようになっている。また、本体２の下部の空気穴２ｈから取り入れられた空気が本体２内を経て上部の間隙ｇより本体外へ排出される対流作用により本体内の高温化、特に遮蔽部２ｇの高温化を避けられるため周壁部２ｂの高温化が抑制されるようになっている。なお、同時に上記空気の対流作用により芳香用材料７から発生した芳香が室内へ広く且つ早く拡散されるため、室内への芳香の拡散が促進されることになる。
【００１２】
なお、上記芳香用材料７にエッセンシャルオイルなどの低い温度で芳香を発する芳香用材料７を使用する場合には、制御部８を調節し、電球の光（熱）を強くして、発生する熱を減らすことで温度を低く保ち、芳香用材料７が適温に加熱されるようにしている。
【００１３】
また、茶葉等の香木とエッセンシャルオイルとの中間の温度（以下、中間温度と言う）で芳香を発する芳香用材料７を使用する場合には、制御部８を調節して、熱源４の電球の光（熱）をやや抑えて、芳香用材料７（茶葉）が適温に加熱されるようになっている。
【００１４】
上記したように本願発明の香炉１は、芳香用材料７の種類に応じて、制御部８調節し、熱源４である電球の光（熱）の強さを制御して、芳香用材料７に適した温度に調節できるため、芳香用材料７から効率良く芳香を発することができる。
【００１５】
なお、上記の実施例は、熱源４の熱量を芳香用材料７に応じて可変するための制御部８を備えた構成であるが、これとは別に制御部８を特に備えなくても図２にあるように芳香皿５の取替えにより同様な目的を達することができる。つまり、芳香皿５の載部５ｂの深さの異なるものを数種類別途用意し、これらを取替える事で熱源からの距離を変え芳香皿への加熱を調節することで、各芳香用材料７に応じた芳香を効率的に発生させることができる。
【００１６】
【発明の効果】
本願発明は以上の構成からなり、熱源の周囲に筒状の遮蔽部を接近配置したことにより、同熱源からの拡散放熱が抑制され、熱が芳香皿に集中し、同皿を急速加熱することができるため、芳香皿に載せた芳香用材料から速やかに芳香を発生させる等の即効性が期待できる。
【００１７】
また、熱源の周囲に接近配置した遮蔽部と、遮蔽部と熱源の間、遮蔽部と本体の間に介在する空気層によって熱源からの周囲への放熱が抑制されているため、長時間使用した場合にも本体の周壁部が必要以上に高温化する事がなく危険が回避できる。
【００１８】
また、本願発明は本体下部に形成した空気穴と、本体と芳香皿とで形成する本体の上部に設けた間隙に至る空気の対流作用により、特に遮蔽部の過熱が極力押さえられて本体の周壁部への伝熱が抑制されて周壁部の高温化が避けられると同時に該空気の対流作用（上昇気流）により、芳香皿から発生する芳香が部屋全体に速やかに広く拡散する効果がある。
【図面の簡単な説明】
【図１】本願発明の香炉の断面図を示す。
【図２】同じく本願発明の香炉の断面図であり、芳香皿の載置部の異なる場合を示す。
【図３】従来の香炉を示す略断面図。
【符号の説明】
１    香炉
２    本体
２ａ  上面
２ｂ  周壁部
２ｃ  載置穴
２ｄ  下面
２ｆ  開口部
２ｇ  遮蔽部
３    受け皿
３ａ  上面
４    熱源
５    芳香皿
６    間隙形成部材
７    芳香用材料
ａ    空気層
ｇ      間隙
【図１】
0004658308.tif 000002
【図２】
0004658308.tif 000003
【図３】
0004658308.tif 000004